(57)【特許請求の範囲】
【請求項１】
生分解性プラスチック及び天然植物性粉体を含有するスクラブ剤であって、溶融又は溶解された生分解性プラスチックと天然植物性粉体との混合物を硬化させてなり、
前記生分解性プラスチックがポリカプロラクトン、ポリ乳酸、ポリ（ブチレンサクシネート／アジペート）、デンプン脂肪酸エステルまたはポリ（ブチレンサクシネート／カーボネート）であり、
前記天然植物性粉末が木粉、竹粉、アンズ種子粉末、コーンスターチ、セルロース粉末またはモモ種子粉末であることを特徴とする生分解性スクラブ剤。
【請求項２】
前記生分解性プラスチックと前記天然植物性粉体とが重量比で３：７〜９：１となるように含有されている請求項１記載の生分解性スクラブ剤。
【請求項３】
平均粒径２０〜８００μｍの粉末である請求項１または２記載の生分解性スクラブ剤。
【請求項４】
皮膚洗浄剤用である請求項１〜３いずれか記載の生分解性スクラブ剤。
【請求項５】
請求項１〜４いずれか記載の生分解性スクラブ剤を含有する皮膚洗浄剤。
【請求項６】
クリーム洗剤である請求項５記載の皮膚洗浄剤。
【請求項７】
溶融又は溶解した生分解性プラスチックと天然植物性粉体とを混合し、次いで得られる混合物を硬化する工程を有し、
前記生分解性プラスチックがポリカプロラクトン、ポリ乳酸、ポリ（ブチレンサクシネート／アジペート）、デンプン脂肪酸エステルまたはポリ（ブチレンサクシネート／カーボネート）であり、
前記天然植物性粉末が木粉、竹粉、アンズ種子粉末、コーンスターチ、セルロース粉末またはモモ種子粉末である生分解性スクラブ剤の製造方法。
【発明の詳細な説明】
【技術分野】
【０００１】
本発明は、生分解性スクラブ剤及びその製造方法、ならびに前記生分解性スクラブ剤を含有する皮膚洗浄剤に関するものである。
【背景技術】
【０００２】
皮膚用の洗浄剤には、皮膚の洗浄及びマッサージ効果を目的として、合成樹脂、炭酸カルシウム、結晶セルロース、クルミ殻、カルナウバロウ、コルク粉末、難溶性デキストリン、トウモロコシ末等のスクラブ剤が配合されている（例えば、特許文献１〜３）。
【０００３】
しかしながら、例えば、合成樹脂や炭酸カルシウムを用いたスクラブ剤を含む洗浄剤は使用後に水とともに排水として自然界に排出されると、生態系等に長くとどまり、さらに蓄積することでさまざまな影響をおよぼす可能性がある。
一方、結晶セルロース、クルミ殻、コルク粉末、難溶性デキストリン、トウモロコシ末等の天然系のスクラブ剤については、自然界への影響の問題は低いものの、洗浄効果が必ずしも高いとはいえなかった。
【先行技術文献】
【特許文献】
【０００４】
【特許文献１】特開２００４−１８９６１２号公報
【特許文献２】特開２００３−３４２１６２号公報
【特許文献３】特開平１０−２７９４７０号公報
【発明の概要】
【発明が解決しようとする課題】
【０００５】
そこで、本発明は、自然界へ排出された場合でも影響が極めて低く、また洗浄力に優れたスクラブ剤及びその製造方法を提供することを目的とする。
また、本発明は、前記スクラブ剤を含有する洗浄力に優れた皮膚洗浄剤を提供することを目的とする。
【課題を解決するための手段】
【０００６】
本発明者らは、前記課題を解決するために、生分解性プラスチックと天然植物性粉体に着目し、これらの溶融混合物から得られる粉末が、従来のスクラブ剤に比べて洗浄効果を有意に向上させることを見出して本発明を完成させた。
【０００７】
すなわち、本発明の要旨は、
〔１〕生分解性プラスチック及び天然植物性粉体を含有するスクラブ剤であって、溶融又は溶解された生分解性プラスチックと天然植物性粉体との混合物を硬化させてなり、
前記生分解性プラスチックがポリカプロラクトン、ポリ乳酸、ポリ（ブチレンサクシネート／アジペート）、デンプン脂肪酸エステルまたはポリ（ブチレンサクシネート／カーボネート）であり、
前記天然植物性粉末が木粉、竹粉、アンズ種子粉末、コーンスターチ、セルロース粉末またはモモ種子粉末であることを特徴とする生分解性スクラブ剤、
〔２〕前記生分解性プラスチックと前記天然植物性粉体とが重量比で３：７〜９：１となるように含有されている前記生分解性スクラブ剤、
〔３〕平均粒径２０〜８００μｍの粉末である前記生分解性スクラブ剤、
〔４〕皮膚洗浄剤用である前記生分解性スクラブ剤、
〔５〕前記生分解性スクラブ剤を含有する皮膚洗浄剤、
〔６〕クリーム洗剤である前記皮膚洗浄剤、
〔７〕加熱溶融した生分解性プラスチックと天然植物性粉体とを混合し、次いで得られる混合物を硬化する工程を有し、
前記生分解性プラスチックがポリカプロラクトン、ポリ乳酸、ポリ（ブチレンサクシネート／アジペート）、デンプン脂肪酸エステルまたはポリ（ブチレンサクシネート／カーボネート）であり、
前記天然植物性粉末が木粉、竹粉、アンズ種子粉末、コーンスターチ、セルロース粉末またはモモ種子粉末である生分解性スクラブ剤の製造方法
に関する。
【発明の効果】
【０００８】
本発明の生分解性スクラブ剤は、従来のスクラブ剤に比べて優れた洗浄効果を奏することから、皮膚洗浄剤等の洗剤に配合することで、洗浄力を向上させることができる。
また、本発明の生分解性スクラブ剤は、自然界で微生物等により分解される材料で構成されているため、手、頭皮、身体などの皮膚用の洗浄剤等の洗剤に配合しても、環境への影響も顕著に少ないものである。
【発明を実施するための形態】
【０００９】
以下、本発明について詳細に説明する。
【００１０】
（生分解性スクラブ剤）
本発明の生分解性スクラブ剤は、生分解性プラスチック及び天然植物性粉体を含有するスクラブ剤であって、溶融又は溶解された生分解性プラスチックと天然植物性粉体との混合物を硬化させてなることを特徴とする。
【００１１】
生分解性プラスチックとは、使用中は通常のプラスチックと同様に使え、使用後はバクテリア、黴、藻類などの微生物の採用により低分子量化合物、例えば、好気的分解であれば最終的に水と二酸化炭素、嫌気的分解であればメタンと二酸化炭素に分解されるようなプラスチックをいう。本発明で用いられる生分解性プラスチックとしては、いわゆる「グリーンプラ」と呼ばれる熱可塑性のプラスチックであればよく、微生物系、化学合成系、天然物系等の製造法に関わらず使用することができる。
【００１２】
微生物系生分解性プラスチックとは、微生物を培養し、その菌体内で生成される生分解性プラスチックをいい、例えば、ポリ−３−ヒドロキシブチレート、ポリ（３−ヒドロキシブチレート・コ・ヒドロキシヘキサノエート）、ポリヒドロキシアルカノエート、マルトトリオースなどが挙げられる。
【００１３】
化学合成系生分解性プラスチックとは、化学合成によって得られる生分解性プラスチックをいい、例えば、ポリブチレンサクシネート・コ・アジペート、ポリブチレンサクシネート・アジペート、ポリブチレンサクシネート、ポリブチレンアジペート・コ・テレフタレート、ポリブチレンアジペート／テレフタレート、ポリビニルアルコール、ポリ乳酸／ポリカプロラクトン共重合体、ポリ乳酸／ポリエーテル共重合体、ポリ乳酸／ジオール・ジカルボン酸共重合体、ポリ乳酸、ポリテトラメチレンアジペート・コ・テレフタレート、ポリグリコール酸、ポリカプロラクトン、ポリエチレンテレフタレートサクシネート、ポリエチレンテレフタレート共重合体、ポリエチレンテレフタレート・コ・サクシネート、ポリエチレンセバケート、ポリ（ε−カプロラクトン−ブチレンサクシネート）、ブタンジオール／長鎖ジカルボン酸共重合体、脂肪族芳香族系ポリエステル、（１,４−ブタンジオール，琥珀酸，アジペート，乳酸）コポリマーなどが挙げられる。
【００１４】
天然物系生分解性プラスチックとは、植物が産生するデンプン、セルロースやカニ、エビなどの甲殻類の甲羅に含まれるキチンなどの多糖を利用した生分解性プラスチックをいい、例えば、デンプン脂肪酸エステル、デンプンポリエステル、酢酸セルロース、キトサン、ヤシ殻粉などが挙げられる。
【００１５】
前記生分解性プラスチックは１種を用いてもよいし、２種以上を組み合わせて用いてもよい。
前記生分解性プラスチックの分子量については特に限定はない。
【００１６】
前記天然植物性粉体としては、デンプン粉、木粉、竹粉、植物種子粉、植物繊維粉及びセルロース粉が挙げられる。これらの天然植物性粉体は、１種を用いてもよいし、２種以上を組み合わせて用いてもよい。
また、前記天然植物性粉末の原料となる天然植物の種類についても特に限定はない。
例えば、デンプン粉としては、コーンスターチ、小麦デンプン、米デンプン、豆（ソラマメ、緑豆、小豆）デンプン、馬鈴薯デンプン、甘藷デンプン、タピオカデンプン等が挙げられる。
植物種子粉としては、アンズ種子粉末、モモ種子粉末、クルミ種子粉末等が挙げられる。
植物繊維粉としては、セルロース粉末、トウモロコシ粉、麻粉、綿粉等が挙げられる。
【００１７】
前記天然植物性粉体の平均粒径としては、２０〜６００μｍが好ましい。
なお、この平均粒径は、レーザー粒度分布計によって、又は標準篩を備えたロータップ式ふるい振盪機によって測定することができる。
【００１８】
本発明の生分解性スクラブ剤中には、前記生分解性プラスチックと前記天然植物性粉体とが重量比で３：７〜９：１となるように含有されていることがより好ましい。なお、前記生分解性スクラブ剤は、前記２成分のみから構成されていてもよい。
【００１９】
また、本発明の生分解性スクラブ剤には、前記生分解性プラスチック及び天然植物性粉体のほかに、可塑剤、光安定剤、酸化防止剤、安定化助剤、着色剤等の任意成分を含有してもよい。
これらの任意成分の含有量は、前記生分解性プラスチック１００重量部に対して、０．１〜５重量部が好ましい。
【００２０】
本発明の生分解性スクラブ剤は、溶融又は溶解された前記生分解性プラスチックと前記天然植物性粉体との混合物を硬化させてなるものである。
前記生分解性プラスチックの溶融は、その融点以上の温度に加熱すればよい。
また、前記生分解性プラスチックの溶解には、適当な溶媒、例えば、Ｎ−メチルピロリドン、酢酸エチル、酢酸ブチル、乳酸エチル、乳酸メチル、アセトン、メチルイソブチルケトン、Ｎ，Ｎ−ジメチルホルムアミド、メチルエチルケトン等、使用条件に応じていずれを使用してもよい。また、生分解性プラスチックの原料を適当な溶媒に溶解して合成した溶液を、溶解された生分解性プラスチックとして用いてもよい。
【００２１】
また、溶融又は溶解された生分解性プラスチックと天然植物性粉体との混合では、生分解性プラスチックと天然植物性粉体とが均一に混合できればよい。例えば、溶融された生分解性プラスチックと天然植物性粉体との混合には、ヘンシェルミキサー、プラストミル、コーンミキサー、ニーダー、リボンミキサー等の攪拌機を用いることができる。
前記の攪拌機には、溶融又は溶解された生分解性プラスチックと天然植物性粉体とを同時又は別々に投入して混合を行えばよく、投入する順番については特に限定はない。
【００２２】
次に、得られる混合物の硬化は、室温以下の温度で冷却することで行うことができる。
前記硬化の際には、プレス機、円筒押出機等を用いて予め所定の形状になるよう成形してもよい。
【００２３】
得られた硬化物はそのまま生分解性スクラブとして使用してもよいが、所望の平均粒径となるように調整する場合には、前記硬化物を粉砕してから必要に応じて分級すればよい。前記粉砕には、ピンミル、ジェットミル、ロッドミル、凍結粉砕機等の粉砕装置を用いることができる。
【００２４】
前記生分解性スクラブ剤は、粉末状であればよいが、汚れのかきおとし効果、手触り、肌触りの観点から、平均粒径２０〜８００μｍの粉末とすることが好ましい。
【００２５】
前記の生分解性スクラブ剤の製造方法の好適例として、混合溶融方法、造粒方法、円筒造粒方法等が挙げられる。
【００２６】
前記混合溶融方法では、まず、生分解性プラスチックの粉体又は樹脂ペレットに、天然植物性粉体を混合し、ヘンシェルミキサー等の攪拌機で混合攪拌する。前記攪拌機では、生分解性プラスチックの融点まで加温し、よく生分解性プラスチックを溶解しながら、前記天然植物性粉体を混合することが好ましい。次いで、得られる混合物をペレット成型機にて、円柱状等の所望の形状に加工した後、ピンミル等で粉砕して、篩にかけて、目的の平均粒径を有する生分解性スクラブ剤を得る。
【００２７】
前記造粒方法では、生分解性プラスチックを予め所望の溶媒に溶解しておき、別に天然植物性粉体をヘンシェルミキサー等の攪拌機にて混合攪拌しながら、前記生分解性プラスチック溶液を添加していき、造粒させて目的の平均粒径を有する生分解性スクラブ剤を得る。
【００２８】
前記円筒造粒方法では、まず、生分解性プラスチックを予め所望の溶媒に溶解しておき、別に天然植物性粉体をヘンシェルミキサー等の攪拌機にて混合攪拌しながら、前記生分解性プラスチック溶液を添加して混練し、団子状の柔らかさの塊にする。次いで、これをバスケットリューザー等の造粒機にて造粒させ、円柱状等の所望の形状に化工した後、加熱乾燥し、ピンミル等で粉砕し、篩にかけて、目的の平均粒径を有する生分解性スクラブ剤を得る。
【００２９】
以上のようにして製造される本発明の生分解性スクラブ剤は、従来のスクラブ剤に比べて、洗浄力向上効果に優れるという利点がある。
この利点に関して、本発明では、天然物系生分解性プラスチックと天然植物性粉体としてデンプン粉を用いて生分解性スクラブ剤を製造した場合に、そのスクラブ剤粒子の表面に微細な凹凸が生じている。
具体的には、天然物系生分解性プラスチックであるデンプン脂肪酸エステル、天然植物性粉体であるデンプン粉（コーンスターチ）の表面を電子顕微鏡で見ると、それぞれの表面には微細な凹凸はあまり見られず、略平滑である部分が多いのに対して、これらの原料を用いて得られる本発明のスクラブ剤の表面を電子顕微鏡で見ると、各原料に見られなかった微細な凹凸が生じているのが確認されている。
このようにスクラブ剤粒子の表面に微細な凹凸があることで、手等の皮膚表面に付着した汚れに対する洗浄力が顕著に向上することが考えられる。
なお、スクラブ剤の表面に微細な凹凸が生じるメカニズムとしては明確ではないが、天然植物性粉体粒子が均一に生分解性プラスチック内に存在することにより凸部が形成され、又は一部分が剥離することにより凹部が形成されることが考えられる。
【００３０】
したがって、本発明の生分解性スクラブ剤は、皮膚洗浄剤用のスクラブ剤として好適に使用できるものである。
【００３１】
（皮膚洗浄剤）
本発明の皮膚洗浄剤は、前記生分解性スクラブ剤を含有するものである。
本発明の皮膚洗浄剤中の生分解性スクラブ剤の含有量としては、使用感及び汚れのかきとり効果の観点から、１〜３５重量％が好ましい。
中でも、皮膚洗浄剤がクリーム剤である場合には、生分解性スクラブ剤の含有量は、５〜３５重量％であることが好ましい。
【００３２】
また、本発明の皮膚洗浄剤の他の成分としては、従来の皮膚洗浄剤と同様であればよく、特に限定はないが、例えば、界面活性剤に加えて、必要であれば、溶剤、増粘剤、中和剤、手荒れ防止剤等の成分が挙げられる。
【００３３】
本発明にいう界面活性剤とは、通常皮膚洗浄剤に用いる界面活性剤であれば、特に限定されないが、本発明を実施するためには非イオン界面活性剤、アニオン界面活性剤、両性界面活性剤が好ましい。
【００３４】
非イオン界面活性剤としては、具体的には、以下（１）〜（５）のものが例示される。
（１）ヤシ油脂肪酸モノエタノールアミド、ヤシ油脂肪酸ジエタノールアミド、ラウリル酸モノエタノールアミド、ラウリル酸ジエタノールアミド、ミリスチン酸モノエタノールアミド、ミリスチン酸ジエタノールアミド、ラウリル酸ミリスチン酸ジエタノールアミド。
（２）ポリオキシエチレン（重合度２〜６０）アルキルエーテル、ポリオキシエチレン（重合度２〜６０）ラウリル酸アミド、ポリオキシエチレン（重合度２〜６０）ノニルフェニルエーテル、ポリオキシエチレン（重合度２〜６０）ジノニルフェニルエーテル、ポリオキシエチレン（重合度２〜６０）オクチルフェニルエーテル、ポリオキシエチレン（重合度２〜６０）ジオクチルフェニルエーテル、ポリオキシエチレン（重合度２〜６０）ラウリルエーテル、ポリオキシエチレン（重合度２〜６０）ステアリルエーテル、ポリオキシエチレン（重合度２〜６０）オレイルエーテル、ポリオキシエチレン（重合度２〜６０）セチルエーテル、ポリオキシエチレン（重合度２〜６０）アルキル（Ｃ６〜Ｃ３０）エーテル。
（３）モノオレイン酸ポリエチレングリコール、ジオレイン酸ポリエチレングリコール、モノオレイン酸ポリプロピレングリコール、ジオレイン酸ポリプロピレングリコール、
モノステアリン酸ポリエチレングリコール、ジステアリン酸ポリエチレングリコール、モノステアリン酸ポリプロピレングリコール、ジステアリン酸ポリプロピレングリコール、
モノカプリル酸デカグリセリン、モノカプリル酸ソルビタン、モノラウリル酸ソルビタン、モノパルミチン酸ソルビタン、モノオレイン酸ソルビタン、モノステアリン酸ソルビタン、ジカプリル酸ソルビタン、ジラウリル酸ソルビタン、ジパルミチン酸ソルビタン、ジオレイン酸ソルビタン、ジステアリン酸ソルビタン、トリオレイン酸ソルビタン、トリステアリン酸ソルビタン。
（４）モノラウリン酸ポリオキシエチレン（重合度２〜３０）ソルビタン、モノパルミチン酸ポリオキシエチレン（重合度２〜３０）ソルビタン、モノオレイン酸ポリオキシエチレン（重合度２〜３０）ソルビタン、モノステアリン酸ポリオキシエチレン（重合度２〜３０）ソルビタン、ジカプリル酸ポリオキシエチレン（重合度２〜３０）ソルビタン、ジラウリン酸ポリオキシエチレン（重合度２〜３０）ソルビタン、ジパルミチン酸ポリオキシエチレン（重合度２〜３０）ソルビタン、ジオレイン酸ポリオキシエチレン（重合度２〜３０）ソルビタン、ジステアリン酸ポリオキシエチレン（重合度２〜３０）ソルビタン、トリオレイン酸ポリオキシエチレン（重合度２〜３０）ソルビタン、トリステアリン酸ポリオキシエチレン（重合度２〜３０）ソルビタン。
（５）テトラオレイン酸ポリオキシエチレン（重合度２〜３０）ソルビット、テトラステアリン酸ポリオキシエチレン（重合度２〜３０）ソルビット、ポリオキシエチレン（重合度２〜３０）ポリオキシプロピレン（重合度２〜３０）アルキル（Ｃ６〜Ｃ３０）エーテル。
【００３５】
アニオン界面活性剤としては、一般式（１）：
Ｒ−Ｏ−（ＣＨ2ＣＨＯ）n−ＳＯ3Ｍ          （１）
（式中、Ｒは炭素数８〜１６の脂肪族基であり、飽和又は不飽和の炭素数８〜１６の脂肪族基が好ましく、ｎは平均付加モル数を示し、ｎ＝０〜３であり、Ｍはトリエタノールアミン、アンモニウム又はナトリウムである。）
で示されるアニオン界面活性剤が挙げられる。
前記Ｒの炭素数としては、１０〜１６が好ましい。平均付加モル数ｎとしては、殺菌性能の観点から０〜１が好ましい。また、Ｍで示される対イオンとしては、トリエタノールアミン、アンモニウム又はナトリウムであるが、殺菌性能の観点からアンモニウムが好ましい。
【００３６】
前記一般式（１）で示されるアニオン界面活性剤の例としては、アルキルエーテル硫酸トリエタノールアミン（アルキル硫酸トリエタノールアミン）、アルキルエーテル硫酸アンモニウム（アルキル硫酸アンモニウム）、アルキルエーテル硫酸ナトリウム（アルキル硫酸ナトリウム）、ポリオキシエチレン（ｎ＝１)アルキルエーテル硫酸トリエタノールアミン、ポリオキシエチレン（ｎ＝１）アルキルエーテル硫酸アンモニウム、ポリオキシエチレン（ｎ＝２）アルキルエーテル硫酸ナトリウム等が挙げられ、泡立ちと殺菌性能、皮膚刺激性の観点から、ポリオキシエチレン（ｎ＝１)アルキルエーテル硫酸トリエタノールアミン及びポリオキシエチレン（ｎ＝１）アルキルエーテル硫酸アンモニウムが好ましい。なお、本明細書において、これらの化合物の括弧内の数値はエチレンオキシドの平均付加モル数を意味する。
【００３７】
両性界面活性剤としては、ヤシ油アルキルベタインなどが挙げられる。
【００３８】
界面活性剤として、前記非イオン界面活性剤、アニオン界面活性剤の一種類を単独で用いてもよく、又は複数の種類を組み合わせて用いてもよい。
【００３９】
本発明の皮膚洗浄剤には、洗浄効果を得る観点から、前記界面活性剤を５〜７５重量％配合するのが好ましい。
中でも、皮膚洗浄剤がクリーム剤である場合には、界面活性剤の含有量は、３５〜７５重量％であることが好ましい。
【００４０】
本発明でいう増粘剤とは、水溶液の粘度を高め、粉体の分散性を良くする作用をもつ化合物であれば、特に限定されないが、水溶性高分子化合物がその反応性のうえからも好ましい。水溶性高分子化合物としては、カルボキシビニルポリマー、キサンタンガム、多糖類等の水溶性高分子化合物等を例示することができる。
カルボキシビニルポリマーとしては、架橋型アクリル酸重合体が挙げられる。
また、増粘剤としては、無機系増粘剤も使用することができる。無機系増粘剤としては、水膨潤性粘土鉱物、微粒子無水ケイ酸等が挙げられる。これらの中でも、優れた分散安定性向上効果を得る観点から、ベントナイト、モンモリロナイト、ヘクトライト、合成スメクタイト、水膨潤性フッ素雲母等の水膨潤性粘土鉱物が好ましい。これらは、１種又は２種以上を適宜選択して使用することができる。
【００４１】
本発明の皮膚洗浄剤には、洗浄剤の安定効果を得る観点から、前記増粘剤を０．１〜３５重量％配合するのが好ましい。
中でも、皮膚洗浄剤がクリーム剤である場合には、増粘剤の含有量は、１〜３５重量％であることが好ましい。
【００４２】
本発明でいう中和剤とは、水酸化ナトリウム、水酸化カリウム、アセチルモノエタノールアミド、アンモニア水、モルホリン、ジエタノールアミン、ジ−２−エチルヘキシルアミン、ジオクチルアミン、ジメチルステアリルアミン、ステアリルジメチルアミン、テトラキス（２−ヒドロキシプロピル）エチレンジアミン、トリエタノールアミン、トリラウリルアミン、ポリオキシエチレンオレイルアミン、ポリオキシエチレンステアリルアミン、Ｎ−ラウリルジエタノールアミン等を例示することができる。これらは、１種又は２種以上を適宜選択して使用することができる。
【００４３】
前記中和剤は、前記増粘剤のカルボキシビニルポリマー等の水溶性高分子化合物を中和するために使用するので、配合した水溶性高分子化合物の量によって中和剤の配合量を変え、最終製品である洗浄剤を中性にする。
したがって、本発明の皮膚洗浄剤には、中和剤を０．１〜２．０重量％配合することが好ましい。
【００４４】
また、本発明の皮膚洗浄剤には手荒れ防止剤を併用することで、過剰な脱脂による皮膚の荒れを防止することができ、使用感の向上に寄与することができる。
本発明にいう手荒れ防止剤とは、通常手荒れを防止する効果のある物質であれば、特に限定されないが、オレイルアルコール、セタノール、ステアリルアルコール、ベヘニルアルコール、ミリスチルアルコール、ラウリルアルコール、ラノリンアルコール等の高級アルコール、デカオレイン酸デカグリセリル等の多価アルコール脂肪酸エステル、ヒアルロン酸、フィトグリコーゲン等の多糖類、酢酸トコフェロール、レシチン、レシチン誘導体、アロエエキス、オレンジエキス、カッコンエキス、米ぬかエキス、タイソウエキス、トマトエキス、ヘチマエキス、ローヤルゼリーエキス、プロポリスエキス等のエキス、ホホバ種子油、スクワラン、グリセリン等を例示することができる。
本発明の皮膚洗浄剤には、手荒れ防止効果を得る観点から、手荒れ防止剤を０．１〜５．０重量％配合するのが好ましい。
【００４５】
また、溶剤としては、エチレングリコール、ポリエチレングリコール、プロピレングリコール、１，３−ブチレングリコール、１，４−ブチレングリコール、ジプロピレングリコール、ジグリセリン、トリグリセリン、テトラグリセリン等のポリグリセリン、グルコース、マルトース、マルチトース、ショ糖、フルクトース、キシリトール、ソルビトール、マルトトリオース、スレイトール、エリスリトール等の多価アルコールを例示することができる。
また、他の溶剤としては、牛脂、オリーブ油、月見草油、米糠油等の動植物油、炭化水素、流動パラフィン等の鉱物油、イソプロピルミリステート、ペンタエリスリトール−テトラ−２−エチルヘキサノエート等のエステル油、メチルフェニルシリコーン、ジメチルシリコーン等のシリコーン油、エタノール、２−オクチルドデカノール、２−デシルテトラデカノール、オレイルアルコール、セチルアルコール等のアルコール、ベヘン酸、オレイン酸、イソステアリン酸等の脂肪酸、ビタミンＡ、ビタミンＢ、ビタミンＤ、ビタミンＫ及びこれらの誘導体を例示することができる。
本発明の皮膚洗浄剤には、溶剤を０〜３０重量％配合するのが好ましい。
【００４６】
また、本発明の皮膚洗浄剤において、金属イオン封鎖剤、酸化防止剤、防腐剤等と併用することで、長期間又は過酷な使用条件下における製品の変化を防止し、良好な使用感を提供し続けることができる。
例えば、ポリリン酸塩、ポリカルボキシレート、ホスホエート、錯化剤、例えば、メチルグリシン二酢酸及びその塩、ニトリロ三酢酸及びその塩、エチレンジアミン四酢酸及びその塩と、必要によりコビルダーと組み合わせが挙げられる。
本発明の皮膚洗浄剤には、金属イオン封鎖剤、酸化防止剤、防腐剤を０．００１〜１重量％配合するのが好ましい。
【００４７】
また、本発明の皮膚洗浄剤には、染料や香料等を添加することができる。これらの含有量は特に限定はない。
【００４８】
また、本発明の皮膚洗浄剤では、水は前記各成分の残部であってもよいし、クリーム洗剤のように水を全くあるいはほとんど含有していなくてもよい。
中でも、本発明の皮膚洗浄剤は、クリーム洗剤であれば、前記生分解性スクラブ剤を洗剤中に均一に分散させやすいために好ましい。
【００４９】
本発明の皮膚洗浄剤は、前記の各成分を混合することで得ることができる。混合装置や混合温度等の製造条件については、従来の皮膚洗浄剤と同じであればよく、特に限定はない。
【００５０】
次に実施例に基づき、本発明を具体的に説明するが、本発明の趣旨はこれに限定されるものではない。
【実施例】
【００５１】
（実施例１：配合１）
表１に示す配合１において、天然植物性粉体として木粉（平均粒径１０μｍ、原料植物：シラカバ）、生分解性プラスチックとしてポリカプロラクトン（ユニオンカーバイド製、商品名「ＴＯＮＥ７８７」）、可塑剤としてトリアセチン（大八化学製）を用い、これらの配合物をプラストミル（東洋精機３０Ｃ１５０型）を用いて１２０℃で混合混練した後、熱プレスにより１２０℃で成形し、角柱状（３０×１０×４ｍｍ）の生分解性プラスチック複合成形体を得た。これをピンミルにて粉砕後５０メッシュの篩にてふるい、平均粒径約１００μｍの粉体状の生分解性スクラブ剤を得た。
【００５２】
（実施例２：配合２）
表１に示す配合２において、天然植物性粉体として竹粉（平均粒径３０μｍ）、生分解性プラスチックとしてポリ乳酸（ユニチカ製、商品名「テラマック」）を予め約１７５℃で加温し、よく溶解し、ペレット成型機にて直径６ｍｍ、長さ１０〜１５ｍｍほどの円柱状に加工後、ピンミルにて粉砕した後、５０メッシュの篩にてふるい、平均粒径約１００μｍの粉体状の生分解性スクラブ剤を得た。
【００５３】
（実施例３：配合３）
表１に示す配合３において、天然植物性粉体としてアンズ種粉末（平均粒径約５０μｍ）を用いた以外は、実施例１と同様の生分解性プラスチックと可塑剤を用い、実施例１と同様の方法で、同一形状の生分解性プラスチック複合成形体を得た。これをピンミルにて粉砕後５０メッシュの篩にてふるい、平均粒径約１００μｍの粉体状の生分解性スクラブ剤を得た。
【００５４】
（実施例４：配合４）
表１に示す配合４において、天然植物性粉体としてコーンスターチ（平均粒径約１０μｍ）、生分解性プラスチックとしてポリ乳酸（ユニチカ製、商品名「テラマック」）を予め約１７５℃で加温し、よく溶解し、ペレット成型機にて直径６ｍｍ、長さ１０〜１５ｍｍほどの円柱状に加工後、ピンミルにて粉砕した後、５０メッシュの篩にてふるい、平均粒径約１００μｍの粉体状の生分解性スクラブ剤を得た。
【００５５】
（実施例５：配合５）
表１に示す配合５において、天然植物性粉体としてセルロース粉（平均粒径約５μｍ）、生分解性プラスチックとしてポリ（ブチレンサクシネート／アジペート）（昭和高分子製、商品名「ビオノーレ３００１」）を予め約１７５℃で加温し、よく溶解し、ペレット成型機にて直径６ｍｍ、長さ１０〜１５ｍｍほどの円柱状に加工後、ピンミルにて粉砕した後、５０メッシュの篩にてふるい、平均粒径約１００μｍの粉体状の生分解性スクラブ剤を得た。
【００５６】
（実施例６：配合６）
表１に示す配合６において、天然植物性粉体としてコーンスターチ（平均粒径約１０μｍ）、生分解性プラスチックとしてデンプン脂肪酸エステル（日本コーンスターチ製、商品名「コーンポールＣＰ」）を予め約１７５℃で加温し、よく溶解し、ペレット成型機にて直径６ｍｍ、長さ１０〜１５ｍｍほどの円柱状に加工後、ピンミルにて粉砕した後、５０メッシュの篩にてふるい、平均粒径約１００μｍの粉体状の生分解性スクラブ剤を得た。
【００５７】
（実施例７：配合７）
表１に示す配合７において、天然植物性粉体としてモモ種子粉末（平均粒径３０μｍ）、生分解性プラスチックとしてポリ（ブチレンサクシネート／カーボネート）（三菱ガス化学製、商品名「ユーベック」）を予め約１７５℃で加温し、よく溶解し、ペレット成型機にて直径６ｍｍ、長さ１０〜１５ｍｍほどの円柱状に加工後、ピンミルにて粉砕した後、５０メッシュの篩にてふるい、平均粒径約１００μｍの粉体状の生分解性スクラブ剤を得た。
【００５８】
（実施例８：配合８）
表１に示す配合８において、生分解性プラスチックとしてデンプン脂肪酸エステル（日本コーンスターチ製、商品名「コーンポールＣＰ」）を予めアセトンに溶解し、２５％溶液を作製した。次に、天然植物性粉体であるコーンスターチ（平均粒径１０μｍ）を高速攪拌機ヘンシェルミキサー（三井鉱山製）にて攪拌しながら、前記の生分解性プラスチック溶液を添加していき造粒させ、平均粒径約１００μｍの粉体状の生分解性スクラブ剤を得た。
【００５９】
（実施例９：配合９）
表１に示す配合９において、数平均分子量２３００で水素基価約５３（ＫＯＨｍｇ／ｇ）のポリテトラメチレンアジペート１００重量部をトルエン溶剤に十分に溶解させた。その溶液に、更に、架橋剤としてヘキサメチレンジイソシアネートトリマータイプ１８重量部と架橋触媒としてジブチルスズジアセテート０．５重量部とを添加し、十分に攪拌することによりポリ（ブチレンサクシネート／アジペート）溶液を得た。別にセルロース粉末（平均粒径１５μｍ）を高速攪拌ヘンシェルミキサー（三井鉱山製）にて混合攪拌し、上記ポリ（ブチレンサクシネート／アジペート）溶液を加え、混練し、団子状の柔らかさの塊にした。これをバスケットリューザー（ダルトン製）にてスクリーン径３ｍｍにて造粒させ、直径３ｍｍ、長さ１０〜１０ｍｍほどの円柱状に加工し、１００℃で乾燥し、ピンミルにて粉砕した後、５０メッシュの篩にてふるい、平均粒径約１００μｍの粉体状の生分解性スクラブ剤を得た。
【００６０】
【表１】
0005799569.tif 000002
【００６１】
実施例６で得られた生分解性スクラブ剤の粒子表面を電子顕微鏡で１００倍にして観察したところ、原料であるデンプン脂肪酸エステル及びコーンスターチの表面（いずれも略平滑）には見られない微細な凹凸が多数形成されているのを確認できた。
【００６２】
（実施例１０〜１９、比較例１〜８）
表２〜３に示す配合となるように各成分をプロペラの追加攪拌でよく攪拌混合して皮膚洗浄剤を得た。
なお、界面活性剤として使用したのは以下のとおりである。
（１）（Ｃ１２−１４）パレス−５：
ポリオキシエチレン（平均付加モル数（ｎ）＝５）アルキル（炭素数１２〜１４）エーテル
（２）（Ｃ１２−１４）パレス−９：
ポリオキシエチレン（ｎ＝９）アルキル（炭素数１２〜１４）エーテル
（３）ＰＰＧ−３ラウレス−９：
ポリオキシエチレン（ｎ＝９）ポリオキシプロピレン（ｎ＝３）ラウリルエーテル
（４）ＰＰＧ−７ラウレス−１０：
ポリオキシエチレン（ｎ＝１０）ポリオキシプロピレン（ｎ＝７）ラウリルエーテル
（５）ＰＥＧ／ＰＰＧ−８／２プロピルヘプチルエーテル：
ポリオキシエチレン（ｎ＝８）ポリオキシプロピレン（ｎ＝２）プロピルヘプチルエーテル
（６）ＰＥＧ／ＰＰＧ−６／２プロピルヘプチルエーテル：
ポリオキシエチレン（ｎ＝６）ポリオキシプロピレン（ｎ＝２）プロピルヘプチルエーテル
（７）（Ｃ９−１１）パレス−８：
ポリオキシエチレン（ｎ＝８）アルキル（炭素数９〜１１）エーテル
（８）ウンデセス−７：
ポリオキシエチレン（ｎ＝７）ウンデシルエーテル    アルキル（炭素数１１）
（９）セテス−２０：ポリオキシエチレン（ｎ＝２０）セチルエーテル
（１０）コカミドＤＥＡ：ヤシ油脂肪酸ジエタノールアミド
（１１）ＰＯＥヤシ油脂肪酸ジエタノールアミド：
ポリオキシエチレンヤシ油脂肪酸モノエタノールアミド
（１２）ラウレス硫酸Ｎａ：ポリオキシエチレンラウリルエーテル硫酸ナトリウム
（１３）ココベタイン：ヤシ油アルキルベタイン
【００６３】
また、比較例１〜８で使用したスクラブ剤は、以下のとおりである。
（１）ポリカプロラクトン：ポリカプロラクトンの樹脂粉体（平均粒径９０μｍ）
（２）ポリ乳酸：ポリ乳酸の樹脂粉体（平均粒径１００μｍ）
（３）ポリ（ブチレンサクシネート／アジペート）：ポリ（ブチレンサクシネート／アジペート）の樹脂粉体（平均粒径９０μｍ）
（４）デンプン脂肪酸エステル：デンプン脂肪酸エステルの樹脂粉体（平均粒径８０μｍ）
（５）モモ種子粉：モモ種子粉体（平均粒径１５０μｍ）
（６）コーンスターチ：コーンスターチ粉体（平均粒径１０μｍ）
（７）セルロース粉：セルロース粉体（平均粒径２０μｍ）
【００６４】
【表２】
0005799569.tif 000003
【００６５】
【表３】
0005799569.tif 000004
【００６６】
次いで、実施例１０〜１９及び比較例１〜８で得られた皮膚洗浄剤の洗浄効果について、洗浄力、使用感及び臭気に分けてそれぞれを以下のようにして測定した。それらの結果を表４に示す。
【００６７】
〔評価１：洗浄力〕
カップグリース１−２（日本グリース（株）製）に、廃エンジンオイルを１：１の割合で混合した人口汚垢を作製し、皮膚に塗布後、皮膚洗浄剤を約３ｇ使用して洗浄し、目視にて汚れの落ち具合と官能にてグリース等の残り感がないのかを確認した。評価は、１０名のパネラーが以下の基準に従って行い、最も人数の多い評価を試験品の代表値とした。
＜評価基準＞
○：洗浄力良好で、シワの間にも汚れは見られない。
△：汚れは目立たないが、グリースの残り感がある。
×：汚れが残っており、グリースも落ちていない。
【００６８】
〔評価２：使用感〕
皮膚洗浄剤について、評価１の洗浄を行った際に、使用中の汚れとの馴染み、ぬるつき、すすぎ性と使用乾燥後（タオルドライ後）のヌメリ感（指の間のペタペタ感）、刺激（手荒れ）を総合的に評価した。評価は１０名のパネラーが以下の基準に従って行い、最も人数の多い評価を試験品の代表値とした。
＜評価基準＞
○：厚みのある心地よい使用感とヌメリ感の残らないさっぱりとした感触がある。
△：感触はあまり気にならないが、ヌメリの残り感があり、すすぎ性が悪い。
×：使用感が悪く、洗った気がしない。ヌメリ感が残る。
【００６９】
〔評価３：臭気〕
皮膚洗浄剤について、約４０℃の温水にて手指洗浄に使用した際に、汚れ由来の不快な臭いを感じるか否かを評価した。評価は１０名のパネラーが以下の基準に従って行い、最も人数の多い評価を試験品の代表値とした。
＜評価基準＞
○：特に気にならない。
△：使用中は多少臭いがするが、手には臭いが残らない。
×：手に臭いが残る。
【００７０】
【表４】
0005799569.tif 000005
【００７１】
表４の結果、実施例１０〜１９で得られた皮膚洗浄剤は、いずれも、比較例１〜８のものに比べて、洗浄力、さらに使用感及び使用後の臭いの評価が有意に優れる点で、総合的な洗浄力に優れていることがわかる。